【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
移動デバイス上に通信記録を表示する方法であって、該方法は、
電話番号に関連付けられた発信コールを検出することと、
該電話番号に関連付けられた着信コールを検出することと、
該着信コールに対する通信関連情報をメモリに格納することと、
該発信コールに対する通信関連情報を該メモリに格納することと、
該電話番号に関連付けられた発信コールおよび着信コールのうちの１つに関連付けられた該通信記録内のエントリーを表示することと、
該移動デバイスのユーザによって該エントリーが選択される場合、リストの少なくとも一部分を表示することと
を含み、
該表示されたリストの少なくとも一部分は、該電話番号に関連付けられ、かつ、該メモリに格納された通信関連情報を含み、該電話番号に関連付けられ、かつ、該メモリに格納された該通信関連情報は、該電話番号に関連付けられた該発信コールおよび該着信コールを含む、方法。
【請求項２】
前記リストは、前記メモリに格納された前記電話番号に関連付けられた時間的に直前の発信コールおよび着信コールのうちの少なくとも１つを含む、請求項１に記載の方法。
【請求項３】
前記エントリーが選択される場合、該エントリーに関連付けられたユーザオプションのメニューを表示することをさらに含む、請求項１に記載の方法。
【請求項４】
前記ユーザオプションのメニューは、前記リストを表示すること、テキストメッセージを送信すること、アドレス帳アプリケーションにアクセスすること、通話を起動することのうちの少なくとも１つを含む、請求項３に記載の方法。
【請求項５】
前記リストの前記少なくとも一部分は、前記リストを表示するユーザオプションが選択される場合に表示される、請求項４に記載の方法。
【請求項６】
前記テキストメッセージを送信するユーザオプションが選択される場合、前記エントリーに関連付けられた連絡先に対してテキストメッセージを生成することをさらに含む、請求項４に記載の方法。
【請求項７】
前記通話を起動するユーザオプションが選択される場合、前記エントリーに関連付けられた連絡先への通話を起動することをさらに含む、請求項４に記載の方法。
【請求項８】
前記移動デバイスは、複数の名前および関連付けられた電話番号を前記メモリに格納し、前記エントリーは、前記発信コールおよび前記着信コールの前記電話番号に関連付けられた名前と、該発信コールおよび該着信コールに関連付けられた該電話番号とのうちの１つを含む、請求項１に記載の方法。
【請求項９】
前記リストは、前記発信コールおよび前記着信コールに対するデータおよび日付のうちの少なくとも１つを含む、請求項１に記載の方法。
【請求項１０】
前記リストは、前記発信コールおよび前記着信コールを年代順でさらに含む、請求項２に記載の方法。
【請求項１１】
ディスプレイの１つのライン上に前記エントリーを表示することをさらに含む、請求項１に記載の方法。
【請求項１２】
前記エントリーがテキストメッセージに対して選択される場合、該エントリーに関連付けられた連絡先に対してテキストメッセージを生成することをさらに含む、請求項１に記載の方法。
【請求項１３】
前記エントリーが電話することに対して選択される場合、前記電話番号への新しい発信コールを起動することをさらに含む、請求項１に記載の方法。
【請求項１４】
前記エントリーが電話することに対して選択される場合、前記電話番号への新しい発信コールを起動することをさらに含み、
前記移動デバイスは、複数の名前および関連付けられた電話番号を前記メモリに格納し、
該エントリーは、前記発信コールおよび前記着信コールの該電話番号に関連付けられた名前と、該発信コールおよび該着信コールに関連付けられた該電話番号とのうちの１つを含み、
前記リストは、該メモリに格納された該電話番号に関連付けられた時間的に直前の発信コールおよび着信コールのうちの少なくとも１つを含み、
該リストは、該発信コールおよび該着信コールに対するデータおよび日付のうちの少なくとも１つを含む、請求項１に記載の方法。
【請求項１５】
前記エントリーがテキストメッセージに対して選択される場合、該エントリーに関連付けられた連絡先に対してテキストメッセージを生成することをさらに含み、
前記移動デバイスは、複数の名前および関連付けられた電話番号を前記メモリに格納し、
該エントリーは、前記発信コールおよび前記着信コールの前記電話番号に関連付けられた名前と、該発信コールおよび該着信コールのうちの１つに関連付けられた該電話番号とのうちの１つを含み、請求項１に記載の方法。
【請求項１６】
プロセッサと、
該プロセッサに結合された入力装置と、
該プロセッサに結合されたメモリと
を含む移動デバイスであって、
該メモリは、該プロセッサによる実行可能な命令を格納し、
該命令は、
電話番号に関連付けられた発信コールを検出することと、
該電話番号に関連付けられた着信コールを検出することと、
該発信コールに対する通信関連情報を該メモリに格納することと、
該電話番号に関連付けられた発信コールおよび着信コールのうちの１つに関連付けられた該通信記録内のエントリーを表示することと、
該移動デバイスのユーザによって該エントリーが選択される場合、リストの少なくとも一部分を表示することであって、該表示されたリストの少なくとも一部分は、該電話番号に関連付けられ、かつ、該メモリに格納された通信関連情報を含み、該電話番号に関連付けられ、かつ、該メモリに格納された該通信関連情報は、該電話番号に関連付けられた該発信コールおよび該着信コールを含む、ことと
を行うように適合されている、移動デバイス。
【請求項１７】
前記リストは、前記メモリに格納された前記電話番号に関連付けられた時間的に直前の発信コールおよび着信コールのうちの少なくとも１つを含む、請求項１６に記載の移動デバイス。
【請求項１８】
前記エントリーが選択される場合、該エントリーに関連付けられたユーザオプションのメニューを表示するようにさらに適合されている、請求項１６に記載の移動デバイス。
【請求項１９】
前記ユーザオプションのメニューは、前記リストを表示すること、テキストメッセージを送信すること、アドレス帳アプリケーションにアクセスすること、通話を起動することのうちの少なくとも１つを含む、請求項１８に記載の移動デバイス。
【請求項２０】
前記リストの前記少なくとも一部分は、前記リストを表示するユーザオプションが選択される場合に表示される、請求項１９に記載の移動デバイス。
【請求項２１】
前記テキストメッセージを送信するユーザオプションが選択される場合、前記エントリーに関連付けられた連絡先に対してテキストメッセージを生成するようにさらに適合されている、請求項１９に記載の移動デバイス。
【請求項２２】
複数の名前および関連付けられた電話番号を前記メモリに格納するようにさらに適合されており、前記エントリーは、前記発信コールおよび前記着信コールの前記電話番号に関連付けられた名前と、該発信コールおよび該着信コールに関連付けられた該電話番号とのうちの１つを含む、請求項１５に記載の移動デバイス。
【請求項２３】
前記リストは、前記発信コールおよび前記着信コールに対するデータおよび日付のうちの少なくとも１つを含む、請求項１５に記載の移動デバイス。
【請求項２４】
前記リストは、前記発信コールおよび前記着信コールを年代順でさらに含む、請求項１６に記載の移動デバイス。
【請求項２５】
ディスプレイの１つのライン上に前記エントリーを表示するようにさらに適合されている、請求項１５に記載の移動デバイス。
【請求項２６】
前記エントリーがテキストメッセージに対して選択される場合、該エントリーに関連付けられた連絡先に対してテキストメッセージを生成するようにさらに適合されている、請求項１５に記載の移動デバイス。
【請求項２７】
前記エントリーが電話することに対して選択される場合、前記電話番号への新しい発信コールを起動するようにさらに適合されている、請求項１５に記載の移動デバイス。
【請求項２８】
前記エントリーが電話することに対して選択される場合、前記電話番号への新しい発信コールを起動するようにさらに適合されており、
前記移動デバイスは、複数の名前および関連付けられた電話番号を前記メモリに格納し、
該エントリーは、前記発信コールおよび前記着信コールの該電話番号に関連付けられた名前と、該発信コールおよび該着信コールに関連付けられた該電話番号とのうちの１つを含み、
前記リストは、該メモリに格納された該電話番号に関連付けられた時間的に直前の発信コールおよび着信コールのうちの少なくとも１つを含み、
該リストは、該発信コールおよび該着信コールに対するデータおよび日付のうちの少なくとも１つを含む、請求項１５に記載の移動デバイス。
【請求項２９】
前記エントリーがテキストメッセージに対して選択される場合、該エントリーに関連付けられた連絡先に対してテキストメッセージを生成するようにさらに適合されており、
前記移動デバイスは、複数の名前および関連付けられた電話番号を前記メモリに格納し、
該エントリーは、前記発信コールおよび前記着信コールの前記電話番号に関連付けられた名前と、該発信コールおよび該着信コールのうちの１つに関連付けられた該電話番号とのうちの１つを含む、請求項１５に記載の移動デバイス。
【請求項３０】
移動デバイス上に通信記録を表示する方法であって、該方法は、
電話番号に関連付けられた発信コールおよび該電話番号に関連付けられた着信コールのうちの１つに関連付けられた該通信記録内のエントリーを表示することと、
該移動デバイスのユーザによって該エントリーが選択される場合、リストの少なくとも一部分を表示することと
を含み、
該表示された少なくとも一部分のリストは、該電話番号に関連付けられ、かつ、メモリに格納された通信関連情報を含み、該電話番号に関連付けられ、かつ、メモリに格納された該通信関連情報は、該電話番号に関連付けられた該発信コールおよび該着信コールを含む、方法。